(57)【要約】【課題】一の部材の取付面に他の部材を取り付けるためのファスナを、取付面の法線方向から偏向した方向に沿って挿抜できるようにする。【解決手段】ファスナを、一の部材４に保定される第一取付具７と、第一取付具７との間に他の部材６を保持する第二取付具８との組によって構成し、第一取付具７に、取付面の法線方向に対して交差する挿抜方向に延伸する挿入口部７１を設け、第二取付具８に、前記挿入口部７１に対して挿抜される挿入端部８１を設けた。  【選択図】図３
2008119394.tif 000002
【特許請求の範囲】
【請求項１】
ファスナを使用して一の部材の取付面に他の部材を取り付ける構造であって、
前記ファスナが、
前記一の部材に保定される第一取付具と、
前記第一取付具との間に前記他の部材を保持する第二取付具と、
前記第一取付具と前記第二取付具とのうちの一方に設けられ、前記取付面の法線方向に対して交差する挿抜方向に突出した挿入端部と、
前記第一取付具と前記第二取付具とのうちの他方に設けられ、前記挿抜方向に沿って前記挿入端部が挿抜される挿入口部と、
前記挿入口部に前記挿入端部が挿入された際にその挿入端部の抜出を阻む係止機構とを具備している
ことを特徴とする部材の取付構造。
【請求項２】
前記挿入端部には、前記挿抜方向とは直交する方向に拡張した係合部が設けられ、
前記挿入口部には、前記係合部が係合する被係合部が設けられており、
これら係合部と被係合部とを要素として前記係止機構が構成されている請求項１記載の部材の取付構造。
【請求項３】
前記挿入端部は、前記挿入口部に所定深度まで挿入された状態で、前記係合部が前記被係合部に係合せず挿抜が許容される挿抜位置と、係合部が被係合部に係合して挿抜が阻止される係止位置との間で前記挿抜方向に沿った軸回りに回動操作可能である請求項２記載の部材の取付構造。
【請求項４】
前記第二取付具には、前記挿抜方向とは直交する方向に拡張し、かつ前記第一取付具に近づくように曲折した弾性変形部が設けられており、
前記弾性変形部が前記他の部材に当接して弾性変形した状態で前記他の部材を保持する請求項１、２または３記載の部材の取付構造。
【請求項５】
前記他の部材には、前記取付面に添接する添接面と、前記添接面に対し傾斜して前記挿抜方向を向く保持面とが設けられており、
前記保持面が前記第二取付具に保持される請求項１、２、３または４記載の部材の取付構造。
【請求項６】
前記一の部材には、複数の方向を向いた複数の前記取付面が設けられており、
前記挿抜方向が前記複数の方向の中間の方向に設定されている請求項１、２、３、４または５記載の部材の取付構造。
【請求項７】
前記一の部材の前記取付面近傍には、前記挿抜方向から遮蔽された内部通路を包有し前記挿抜方向とは直交する方向に延伸するダクトと、前記挿抜方向に沿って前記ダクトの内外を連通する窓と、前記窓よりも大形で前記内部通路に対する前記第一取付具の出し入れを可能にする出入口とが設けられており、
前記第一取付具は、前記出入口を介して前記ダクトの内部通路に配置され、ダクトの延伸方向に沿って所定の保定位置まで移動し、その保定位置で前記窓から前記挿入口部を露出させる請求項１、２、３、４、５または６記載の部材の取付構造。
【発明の詳細な説明】
【技術分野】
【０００１】
本発明は、主に家具、什器類の組み立てに適用される部材の取付構造に関する。
【背景技術】
【０００２】
一の部材に他の部材を取り付けるための手法として最も典型的なのは、ビスやボルトを使用した螺着である。だが、ドライバーでビス等を締めたり緩めたりする作業は、ともすれば煩瑣である。
【０００３】
ビス等を使用しない手法として、一の部材の取付面に予め開口を穿設しておき、その開口に嵌挿される樹脂成形品等のファスナを以て他の部材を取り付けることが考えられる（例えば、下記特許文献を参照）。このような手法であれば、ファスナを開口に対して挿抜することで簡便に他の部材を着脱できる。
【特許文献１】特開２００６−１４１４８４号公報（６〜７頁、図８、図１０）
【発明の開示】
【発明が解決しようとする課題】
【０００４】
上記例の如き手法を採用する場合、ファスナは取付面の法線方向に沿って挿抜されることになる。また、開口に挿入される挿入端部、及び人の手指で把持される把手部を含むことから、ファスナの外形も取付面の法線方向に沿って伸長したものとなる。それ故に、ファスナを取付面の法線方向に挿抜することが容易でない、換言すれば挿抜操作に必要なスペースを確保できない場合や、法線方向に伸長したファスナが別の部材に干渉してしまう場合には、当該手法を採用しづらかった。
【０００５】
以上に鑑みてなされた本発明は、一の部材の取付面に他の部材を取り付けるにあたり、ファスナを取付面の法線方向から偏向した方向に沿って挿抜できるようにすることを所期の目的としている。
【課題を解決するための手段】
【０００６】
上述した課題を解決するべく、本発明では、一の部材の取付面に他の部材を取り付けるために使用されるファスナを、前記一の部材に保定される第一取付具と、前記第一取付具との間に前記他の部材を保持する第二取付具と、前記第一取付具と前記第二取付具とのうちの一方に設けられ、前記取付面の法線方向に対して交差する挿抜方向に突出した挿入端部と、前記第一取付具と前記第二取付具とのうちの他方に設けられ、前記挿抜方向に沿って前記挿入端部が挿抜される挿入口部と、前記挿入口部に前記挿入端部が挿入された際にその挿入端部の抜出を阻む係止機構とを具備するものとした。これにより、ファスナの第二取付具を第一取付具に対し取付面の法線方向から偏向した挿抜方向に沿って挿抜することが可能となる。従って、取付面の方向にファスナを挿抜することが容易でない場合や、法線方向に伸長したファスナが別の部材に干渉してしまう場合にも問題なく適用できる。
【０００７】
具体的には、前記挿入端部に、前記挿抜方向とは直交する方向に拡張した係合部が設けられ、前記挿入口部に、前記係合部が係合する被係合部が設けられており、これら係合部と被係合部とを要素として前記係止機構が構成される。
【０００８】
前記挿入端部は、前記挿入口部に所定深度まで挿入された状態で、前記係合部が前記被係合部に係合せず挿抜が許容される挿抜位置と、係合部が被係合部に係合して挿抜が阻止される係止位置との間で前記挿抜方向に沿った軸回りに回動操作可能なものとすることが好ましい。
【０００９】
前記第二取付具に、前記挿抜方向とは直交する方向に拡張し、かつ前記第一取付具に近づくように曲折した弾性変形部が設けられており、前記弾性変形部が前記他の部材に当接して弾性変形した状態で前記他の部材を保持していれば、他の部材を取付面に圧着する作用を営ませることができる。
【００１０】
前記他の部材に、前記取付面に添接する添接面と、前記添接面に対し傾斜して前記挿抜方向を向く保持面とが設けられており、前記保持面が前記第二取付具に保持されるようにすれば、取り付けの安定性が向上する。
【００１１】
前記一の部材に、複数の方向を向いた複数の前記取付面が設けられており、前記挿抜方向が前記複数の方向の中間の方向に設定されているならば、他の部材を複数の取付面に同時に添接させてその位置決めを行い得る。
【００１２】
前記一の部材の前記取付面近傍に、前記挿抜方向から遮蔽された内部通路を包有し前記挿抜方向とは直交する方向に延伸するダクトと、前記挿抜方向に沿って前記ダクトの内外を連通する窓と、前記窓よりも大形で前記内部通路に対する前記第一取付具の出し入れを可能にする出入口とが設けられており、前記第一取付具が、前記出入口を介して前記ダクトの内部通路に配置され、ダクトの延伸方向に沿って所定の保定位置まで移動し、その保定位置で前記窓から前記挿入口部を露出させるものとすれば、ビスやボルト等を使用せずに第一取付具を保定できる。
【発明の効果】
【００１３】
本発明によれば、一の部材の取付面に他の部材を取り付けるにあたり、ファスナを取付面の法線方向から偏向した方向に沿って挿抜できる。
【発明を実施するための最良の形態】
【００１４】
以下、本発明の一実施形態を、図面を参照して説明する。なお、説明中、デスクを使用するユーザが着席する使用端側を前方、反使用端側を後方と定義している。
【００１５】
図１に示すものは、本実施形態の取付構造の適用対象であるデスクである。このデスクは、脚２と、脚２に下方より支持させた天板１と、脚２または天板１にブラケット９を介して支持させたパネル３（幕板またはデスクトップパネル）とを備える。ブラケット９の存在により、天板１とパネル３との間は前後方向に所定寸法離間しており、天板１上に載置したパーソナルコンピュータや電話機、タスクライト等の機器に接続する給電コードや通信ケーブルをその間隙に挿通して配線することができる。間隙は、弾性変形可能なカバー５によって隠蔽する。本実施形態では、カバー５をパネル３の前面側に取り付けた上、パネル３を天板１の後背に設置することによって、天板１とパネル３との間隙にカバー５が配設されるようにしている。
【００１６】
詳述すると、パネル３は、図２ないし図８に示すように、パネル本体４と、パネル本体４に前面側から取り付けられる端縁部材６と、端縁部材６とともにパネル本体４に取り付けられるカバー部材５とを主な構成要素とする。
【００１７】
パネル本体４は、例えば板金材を折曲加工してなる正面視略矩形状をなす部材であり、その上端部位が先述の間隙を介して天板１の後端に対向する。パネル本体４は、パネル３の後面を形作る主面板４１に副面板４２を前方から溶接等により接合したものである。
【００１８】
主面板４１は、上縁で屈曲して前方に延出した上端面４１１と、上端面４１１の前縁で若干下方に屈折した後再度前方に延出したカバー縁設定面４１２と、カバー縁設定面４１２の前縁で下方に垂下して前方を向く前端面４１３と、前端面４１３の下縁で屈曲して後方に退避した退避面４１４とを有する。
【００１９】
副面板４２は、その上部が側断面視後方に開放するチャネル形状をなしている。主面板４１と副面板４２との接合により、チャネル形状の部位の後方が主面板４１によって閉塞され、内部通路が専ら幅方向に延伸するダクト４２１となる。そのダクト４２１の前面には、ダクト４２１の内外を連通する窓４２２と、この窓４２２から幅方向に偏倚し窓４２２よりも大きく開口する出入口４２３とを穿設する。図示例では、窓４２２と出入口４２３とが連続した一つの孔となっている。
【００２０】
端縁部材６は、例えばアルミ押出成形品である。端縁部材６は、鉛直に垂下する立面６１と、立面６１の下縁で屈折して前下方を向く傾斜面６２と、傾斜面６２の後縁で屈曲して後方に延出する水平面６３とを有する。傾斜面６２には、前記窓４２２に対応させて挿通口６２１を穿設する。立面６１の背後、立面６１と水平面６３との境界部近傍には、樋６４を形成している。この樋６４は、後方に延出した底壁６４１と、底壁６４１の後縁から上方に立ち上がった背壁６４２と、背壁６４２の上縁から前後に延出した縁片６４３とを有してなり、上方に開放している。加えて、傾斜面６２と水平面６３との境界部には、上方に突出した突条６５を形成している。
【００２１】
カバー部材５は、例えば硬質樹脂と軟質樹脂とを素材とした二色成形品である。カバー部材５は、側断面視前方に進出した略Ｃ字型をなす軟質樹脂製の可撓体５１と、可撓部の後端に接合して可撓体５１を支持する硬質樹脂製の基体５２とを有している。基体５２は、後方に延出してカバー５の後縁を形作る後縁部５２１と、後縁部５２１から下方に垂下した垂下部５２２と、垂下部５２２の下縁から後方に延出した下端部５２３と、下端部５２３の後縁から上方に立ち上がった突片部５２４と、垂下部５２２の後面から後方に突出した突起部５２５とを有する。
【００２２】
本実施形態では、パネル本体４の取付面に、端縁部材６の添接面を添接させた状態で取り付ける。パネル本体４における、主面板４１の前端面４１３、退避面４１４、副面板４２のダクト４２１の下面及び前面がそれぞれ取付面として機能する。そして、端縁部材６における、立面６１、樋６４の縁片６４３の上向面、水平面６３、突条６５の後向面がそれぞれ添接面として機能する。
【００２３】
本実施形態の取付構造に使用するファスナは、第一取付具７と、第二取付具８との組である。第一取付具７、第二取付具８は、例えば樹脂成形品である。第一取付具７は、パネル本体４に保定可能であるとともに、第二取付具８を係止可能である。第二取付具８は、第一取付具７に係止された状態で、端縁部材６の傾斜面６２を保持し、以て端縁部材６及びカバー部材５をパネル本体４の取付面に対して固定する。即ち、端縁部材６における傾斜面６２が保持面として機能する。
【００２４】
第一取付具７は、パネル本体４のダクト４２１内に出入口４２３を介して挿入され、ダクト４２１の内部通路の延伸方向即ち幅方向に沿って摺動可能な形状のブロック体である。第一取付具７には、下記挿入端部８１が挿抜される挿入口部７１を設けている。挿入口部７１は、前下方から後上方に向かう方向に延伸する筒孔７１１を有する。筒孔７１１の内周は、幅方向に拡大した略方形状をなす。筒孔７１１の延伸方向は、端縁部材６の傾斜面６２の向きに略等しい。また、第一取付具７の上面を、筒孔７１１の延伸方向を向く傾斜面７２とし、筒孔７１１の終端をこの傾斜面７２に開口させている。筒孔７１１の終端側の開口縁の一部（図示例では、上下縁）には、小さな凹欠７３を形成してある。
【００２５】
第二取付具８は、第一取付具７の挿入口部７１に挿抜する挿入端部８１と、挿入端部８１の先端側に設けた係合部８２と、挿入端部８１の基端側に設けた弾性変形部８３と、弾性変形部８３を越えた最基端に設けた把手部８４とを有する。挿入端部８１は、筒孔７１１に挿入した状態で軸心回りに回動操作可能な程度に細身である。係合部８２は、挿入端部８１の延伸方向とは直交する方向に拡張しており、挿入端部８１の延伸方向からみたときの外周形状が筒孔７１１の内周形状に略等しい。弾性変形部８３は、挿入端部８１の延伸方向とは直交する方向に大きく拡張するとともに、挿入端部８１の先端方に向けて曲折（湾曲）した形状をなす薄帯体である。なお、弾性変形部８３の拡張方向は、係合部８２の拡張方向に対して略９０度偏向している。把手部８４は、第二取付具８を挿抜する際に手指で把持するための部位である。
【００２６】
ファスナを使用してパネル本体４に端縁部材６及びカバー部材５を取り付ける手順を説明する。まず、パネル本体４に第一取付具７を保定する。図６に示すように、第一取付具７を、出入口４２３からダクト４２１内に挿入し、しかる後に図７に示すように幅方向に摺動させて窓４２２の存在する位置に配置する。窓４２２は出入口４２３よりも小さく、この窓４２２から第一取付具７が脱落することはない。この保定位置で、第一取付具７の挿入口部７１（の筒孔７１１の始端側の開口）が窓４２２を介して露出する。
【００２７】
次に、パネル本体４の取付面に端縁部材６及びカバー部材５を添接させる。より詳しくは、図４等に示すように、端縁部材６の立面６１及びカバー部材５の後縁部５２１をパネル本体４の前端面４１３に添接させ、端縁部材６の樋６４の縁片６４３をパネル本体４の退避面４１４に添接させる。同時に、端縁部材６の水平面６３をパネル本体４のダクト４２１の下面に添接させ、端縁部材６の突条６５をパネル本体４のダクト４２１の前面（の下縁部分）に添接させる。また、カバー部材５の後縁部５２１を、パネル本体４のカバー縁設定面４１２に上方より添接させる。
【００２８】
続いて、図４、図７、図８等に示すように、挿通口６２１及び窓４２２を介して、第二取付具８の挿入端部８１を第一取付具７の挿入口部７１に挿入する。手指で把手部８４を把持し、挿入端部８１の延伸方向に沿った軸回りに第二取付具８を回動させて、係合部８２の外周形状と筒孔７１１の内周形状とを合わせる。図示例では、係合部８２の拡張方向を幅方向に合わせる。そして、前下方から後上方に向かう斜め方向に沿って、挿入端部８１を筒孔７１１に挿入する。挿入端部８１の挿抜方向は、パネル本体４の取付面の方向（前向きまたは下向き）とは相異する。この状態で、弾性変形部８３は端縁部材６の立面６１及び水平面６３に臨んでおり、傾斜面６２には係合していない。
【００２９】
係合部８２が筒孔７１１の終端近傍に到達する深度まで挿入端部８１を挿入したら、最後に第二取付具８を、挿入端部８１の延伸方向に沿った軸回りに回動させる、換言すれば、挿入端部８１の挿抜方向に沿った軸回りに略９０度回動させる。すると、図２、図３に示すように、係合部８２が第一取付具７の傾斜面７２に係合し、挿入端部８１の挿入口部７１からの抜出が阻まれる。このとき、係合部８２が、筒孔７１１の終端側の開口縁に形成した凹欠７３に嵌合し、いわゆるクリックストップの如き作用が発生する。さらに、第二取付具８の回動操作により、弾性変形部８３の拡張方向が幅方向を向き、弾性変形部８３が端縁部材６の傾斜面６２に当接し、弾性変形しながらこの傾斜面６２を保持する。
【００３０】
結果として、端縁部材６及びカバー部材５がパネル本体４に取り付けられる。カバー部材５（の垂下部５２２）は、パネル本体４（の前端面４１３）と端縁部材６（の立面６１）とによって挟持される。カバー部材５の下端部５２３は、端縁部材６の樋６４によって受けられる。カバー部材５の突起部５２５はパネル本体４の退避面４１４の直下に位置づけられ、カバー部材５の突片部５２４は端縁部材６の樋６４の縁片６４３の直下に位置づけられる。これら突起部５２５及び突片部５２４が、カバー部材５の上方への抜出を抑制する。
【００３１】
端縁部材６及びカバー部材５をパネル本体４から取り外すには、上記と真逆の手順を踏めばよいことは言うまでもない。
【００３２】
本実施形態によれば、一の部材（パネル本体４）の取付面に他の部材（端縁部材６）を取り付けるために使用されるファスナを、前記一の部材に保定される第一取付具７と、前記第一取付具７との間に前記他の部材を保持する第二取付具８と、前記第二取付具８に設けられ、前記取付面の法線方向に対して交差する挿抜方向に突出した挿入端部８１と、前記第一取付具７に設けられ、前記挿抜方向に沿って前記挿入端部８１が挿抜される挿入口部７１と、前記挿入口部７１に前記挿入端部８１が挿入された際にその挿入端部８１の抜出を阻む係止機構とを具備するものとしたため、ファスナの第二取付具８を第一取付具７に対し取付面（前端面４１３、退避面４１４、ダクト４２１の下面及び前面）の法線方向から偏向した挿抜方向に沿って挿抜することが可能となる。従って、取付面の方向にファスナを挿抜することが容易でない場合や、法線方向に伸長したファスナが別の部材に干渉してしまう場合にも問題なく適用できる。本実施形態では、取付面の前方に天板１の後端部が存在しているため、第二取付具８を前後方向に挿抜することが難しく、また第二取付具８を前後方向に向けた姿勢で配置することも難しい。本実施形態では、挿抜方向を前下方から後上方に向かう斜め方向に設定して、この問題を回避している。
【００３３】
前記挿入端部８１に、前記挿抜方向とは直交する方向に拡張した係合部８２が設けられ、前記挿入口部７１に、前記係合部８２が係合する被係合部８２（凹欠７３を含む傾斜面７２または筒孔７１１の終端側の開口縁）が設けられており、これら係合部８２と被係合部８２とを要素として前記係止機構が構成されている。前記挿入端部８１は、前記挿入口部７１に所定深度まで挿入された状態で、前記係合部８２が前記被係合部８２に係合せず挿抜が許容される挿抜位置（図４、図８）と、係合部８２が被係合部８２に係合して挿抜が阻止される係止位置（図２、図３）との間で前記挿抜方向に沿った軸回りに回動操作可能なものとしているため、簡便な操作で第二取付具８を係止せしめることができる。とりわけ、本実施形態のように、第二取付具８を係止するべき相手方の第一取付具７を直接視認できず、また、挿入端部８１を挿し込むべき挿通口６２１が斜め下方を向いた傾斜面６２に開口しておりこれもまた視認しにくいような状況下にあっても、手探りで挿入端部８１を挿入して軸回りに回動させるだけで挿入端部８１を確実に係止できることは、組立工程の簡便化に大きく貢献する。
【００３４】
前記第二取付具８に、前記挿抜方向とは直交する方向に拡張し、かつ前記第一取付具７に近づくように曲折した弾性変形部８３が設けられており、前記弾性変形部８３が前記他の部材に当接して弾性変形した状態で前記他の部材を保持しているため、他の部材を取付面に圧着する作用を営ませることができる。
【００３５】
前記他の部材に、前記取付面に添接する添接面と、前記添接面に対し傾斜して前記挿抜方向を向く保持面（傾斜面６２）とが設けられており、前記保持面が前記第二取付具８に保持されるようにしたため、取り付けの安定性が向上する。
【００３６】
前記一の部材に、複数の方向を向いた複数の前記取付面が設けられており、前記挿抜方向が前記複数の方向の中間の方向（前後方向と上下方向との中間の斜め方向）に設定されているため、他の部材を複数の取付面に同時に添接させてその位置決めを行い得る。
【００３７】
前記一の部材の前記取付面近傍に、前記挿抜方向から遮蔽された内部通路を包有し前記挿抜方向とは直交する方向に延伸するダクト４２１と、前記挿抜方向に沿って前記ダクト４２１の内外を連通する窓４２２と、前記窓４２２よりも大形で前記内部通路に対する前記第一取付具７の出し入れを可能にする出入口４２３とが設けられており、前記第一取付具７が、前記出入口４２３を介して前記ダクト４２１の内部通路に配置され、ダクト４２１の延伸方向に沿って所定の保定位置まで移動し、その保定位置で前記窓４２２から前記挿入口部７１を露出させるものとしているため、ビスやボルト等を使用せずに第一取付具７を保定できる。
【００３８】
なお、本発明は以上に詳述した実施形態に限られるものではない。上記実施形態では、第一取付具に挿入口部を設け、第二取付具に挿入端部を設けていたが、これとは逆に、第二取付具に挿入口部を設け、第一取付具を挿入端部を設けるようにしたとしても、本発明特有の作用効果を奏し得る。
【００３９】
また、本発明の適用対象は、デスクのパネル３には限られない。即ち、請求項にいう「一の部材」はパネル本体４に限られず、「他の部材」は端縁部材６及びカバー部材５に限られない。他の種類の家具、または他の種類の部材の取り付けに本発明を適用することは当然に可能である。
【００４０】
その他各部の具体的構成は上記実施形態に限られるものではなく、本発明の趣旨を逸脱しない範囲で種々変形が可能である。
【図面の簡単な説明】
【００４１】
【図１】本発明の一実施形態の取付構造の適用対象であるデスクを示す斜視図。
【図２】同実施形態の取付構造を示す要部斜視図。
【図３】同要部側断面図。
【図４】ファスナを使用した取り付けの手順を説明する要部側断面図。
【図５】ファスナを使用した取り付けの手順を説明する要部分解斜視図。
【図６】ファスナを使用した取り付けの手順を説明する要部分解斜視図。
【図７】ファスナを使用した取り付けの手順を説明する要部分解斜視図。
【図８】ファスナを使用した取り付けの手順を説明する要部斜視図。
【符号の説明】
【００４２】
４…一の部材
４２１…ダクト
４２２…窓
４２３…出入口
６…他の部材
７…第一取付具
７１…挿入口部
８…第二取付具
８１…挿入端部
８２…係合部
【図１】
2008119394.tif 000003
【図２】
2008119394.tif 000004
【図３】
2008119394.tif 000005
【図４】
2008119394.tif 000006
【図５】
2008119394.tif 000007
【図６】
2008119394.tif 000008
【図７】
2008119394.tif 000009
【図８】
2008119394.tif 000010